(57)【要約】【課題】番組視聴者に与えられる番組独自の視聴記録情報を統合する。【解決手段】本発明のテレビジョン装置５５は、ＢＭＬコンテンツを含む番組コンテンツを放送局より受信するチューナ・復調部１１を備えた録画装置５３から、この受信された番組コンテンツを取得するデータ送受信部３８と、データ送受信部３８により取得された番組コンテンツ中に番組視聴者に与えられる番組独自の視聴記録情報が含まれている場合に、この視聴記録情報を番組コンテンツ（ＢＭＬコンテンツ）から抽出するＴＳデコード部５２及びＭＭプロセッサ６０と、この抽出された視聴記録情報を記憶保持するＮＶＲＡＭ４６と、を備える。【選択図】図７
2010109901.tif 000002
【特許請求の範囲】
【請求項１】
データ放送コンテンツを含む番組コンテンツを放送局より受信する放送受信部を備えた他のコンテンツ処理装置から、この受信された番組コンテンツを取得するコンテンツ取得部と、
前記コンテンツ取得部により取得された前記番組コンテンツ中に番組視聴者に与えられる番組独自の視聴記録情報が含まれている場合に、この視聴記録情報を前記番組コンテンツから抽出する情報抽出部と、
前記情報抽出部により抽出された前記視聴記録情報を記憶保持する情報記憶部と、
を具備することを特徴とするコンテンツ処理装置。
【請求項２】
前記コンテンツ取得部は、前記番組コンテンツをトランスポートストリームの形式で取得する、
ことを特徴とする請求項１記載のコンテンツ処理装置。
【請求項３】
前記他のコンテンツ処理装置は、
前記放送受信部により受信された番組コンテンツ中に視聴記録情報が含まれている場合にこの視聴記録情報を抽出する第２の情報抽出部と、
前記第２の情報抽出部により抽出された視聴記録情報を含む転送情報を送信する情報送信部と、を備え、
コンテンツ処理装置本体は、
前記情報送信部により送信された前記転送情報を受信する情報受信部と、
前記情報受信部により受信された前記転送情報中に含まれる視聴記録情報を前記情報記憶部に記憶保持させるように制御する情報記憶制御部と、
をさらに具備することを特徴とする請求項１記載のコンテンツ処理装置。
【請求項４】
前記第２の情報抽出部により抽出された視聴記録情報に対応する番組と同一の番組の視聴記録情報が、前記情報記憶部に記憶されているか否かを検出する情報検出部と、
前記情報検出部により、前記同一の番組の視聴記録情報が前記情報記憶部に記憶されていることが検出された場合、前記情報送信部に対して前記転送情報の送信を要求する転送要求部と、
をさらに具備することを特徴とする請求項３記載のコンテンツ処理装置。
【請求項５】
前記他のコンテンツ処理装置は、
視聴記録情報を記憶保持可能な第２の情報記憶部と、
前記第２の情報抽出部により抽出された視聴記録情報に対応する番組と同一の番組の視聴記録情報が、前記第２の情報記憶部に記憶されているか否かを検出する第２の情報検出部と、
前記第２の情報検出部により、前記同一の番組の視聴記録情報が前記第２の情報記憶部に記憶されていることが検出された場合、前記第２の情報抽出部により抽出された視聴記録情報を前記第２の情報記憶部に記憶保持させるように制御する第２の情報記憶制御部と、
をさらに具備することを特徴とする請求項３又は４記載のコンテンツ処理装置。
【請求項６】
データ放送コンテンツを含む番組コンテンツを放送局より受信する放送受信部を備えた他のコンテンツ処理装置から、この受信された番組コンテンツをコンテンツ取得部が取得するステップと、
前記取得された番組コンテンツ中に番組視聴者に与えられる番組独自の視聴記録情報が含まれている場合に、この視聴記録情報を前記番組コンテンツから情報抽出部が抽出するステップと、
前記抽出された視聴記録情報を情報記憶部が記憶保持するステップと、
を有することを特徴とするコンテンツ処理方法。
【発明の詳細な説明】
【技術分野】
【０００１】
本発明は、データ放送を含む番組コンテンツを処理するコンテンツ処理装置及びコンテンツ処理方法に関する。
【背景技術】
【０００２】
地上デジタル放送が始まり、コンテンツの拡充と共に、番組に連動したデータ放送を用いた番組が多くなってきている。このデータ放送を含むデジタル放送は、視聴者が一方的に番組を視聴するだけでなく、視聴者が放送局側にデータを送信して番組に参加できるようになっており、インタラクティブ性が高められている。
【０００３】
例えば番組視聴者に対して放送局側からポイントを提供しポイントが貯まると懸賞に応募できるといったサービスなどがその一例である。また、近年では、地上デジタルテレビジョン放送と地上デジタル音声放送との両方を受信可能な単一のデジタル受信装置において、例えば同じ系列局の同じ内容の番組に連動したポイント加算などを共有できるようにする技術が提案されている（例えば、特許文献１参照）。
【特許文献１】特開２００８−１３１４９６号公報
【発明の開示】
【発明が解決しようとする課題】
【０００４】
ところで、番組視聴者側に与えられる番組独自のポイントなどの情報は、視聴した機器に記憶保持されることが一般的である。このため、例えば、あるドラマを録画装置で録画して得たポイントに、別の回の同じドラマをテレビジョン装置で視聴して得たポイントを、マージ（統合）できないという不便さがある。
【０００５】
そこで本発明は、上記課題を解決するためになされたもので、番組視聴者に与えられる番組独自の視聴記録情報を統合することができるコンテンツ処理装置及びコンテンツ処理方法の提供を目的とする。
【課題を解決するための手段】
【０００６】
上記目的を達成するために、本発明に係るコンテンツ処理装置は、データ放送コンテンツを含む番組コンテンツを放送局より受信する放送受信部を備えた他のコンテンツ処理装置から、この受信された番組コンテンツを取得するコンテンツ取得部と、前記コンテンツ取得部により取得された前記番組コンテンツ中に番組視聴者に与えられる番組独自の視聴記録情報が含まれている場合に、この視聴記録情報を前記番組コンテンツから抽出する情報抽出部と、前記情報抽出部により抽出された前記視聴記録情報を記憶保持する情報記憶部と、を具備することを特徴とする。
【０００７】
本発明のコンテンツ処理装置は、放送局より放送された番組コンテンツを受信する他のコンテンツ処理装置側から、この受信した番組コンテンツを取得し、取得した番組コンテンツ中に視聴記録情報が含まれている場合にこの視聴記録情報を記憶保持するものである。これにより、番組独自の視聴記録情報をマージすることが可能となる。
【０００８】
本発明に係るコンテンツ処理方法は、データ放送コンテンツを含む番組コンテンツを放送局より受信する放送受信部を備えた他のコンテンツ処理装置から、この受信された番組コンテンツをコンテンツ取得部が取得するステップと、前記取得された番組コンテンツ中に番組視聴者に与えられる番組独自の視聴記録情報が含まれている場合に、この視聴記録情報を前記番組コンテンツから情報抽出部が抽出するステップと、前記抽出された視聴記録情報を情報記憶部が記憶保持するステップと、を有することを特徴とする。
【発明の効果】
【０００９】
本発明によれば、番組視聴者に与えられる番組独自の視聴記録情報を統合することが可能なコンテンツ処理装置及びコンテンツ処理方法を提供することができる。
【発明を実施するための最良の形態】
【００１０】
以下、本発明を実施するための最良の形態を図面に基づき説明する。
［第１の実施の形態］
図１は、本発明の第１の実施形態に係るデータ放送共有システム１の構成を示す機能ブロック図である。図２は、このデータ放送共有システム１が備える録画装置３の構成を示す機能ブロック図であり、図３は、データ放送共有システム１が備えるテレビジョン装置５の構成を示す機能ブロック図である。なお、図２、図３中において、実線の矢印線、一点鎖線の矢印線、点線（破線）の矢印線は、それぞれ、制御データ（Control Data）、ブロードキャストデータ（Broadcast Data）、アプリケーションデータ（Application Data）の流れをそれぞれ表している。
【００１１】
図１に示すように、この実施形態のデータ放送共有システム１は、コンテンツ処理装置（コンテンツ処理装置本体）として機能するテレビジョン装置５と、他のコンテンツ処理装置として機能する録画装置３と、を備えている。録画装置３とテレビジョン装置５とは、ＬＡＮ（Local Area Network）やＨＤＭＩ（High Definition Multimedia Interface）−ＣＥＣ（Consumer Electronics Control）などの接続インタフェース９を介して互いに接続されている。なお、ＬＡＮを適用する場合、優先無線のいずれであってもよい。また、実質的にＨＤＭＩの無線化を図った、いわゆるワイヤレスＨＤ伝送などを用いた接続インタフェースなどを適用してもよい。
【００１２】
放送局７は、図１に示すように、地上デジタル放送などのデジタルテレビ放送を放送するものであり、ＢＭＬ（Broadcast Markup Language）コンテンツ、映像データ、及び音声データが多重化されたＭＰＥＧ−２ ＴＳなどのトランスポートストリーム形式の番組コンテンツを変調し放送波に載せて送信する。
【００１３】
図２に示すように、録画装置３は、いわゆるＨＤＤ・ＤＶＤレコーダなどで実現される電子機器であって、チューナ・復調部１１、ＴＳデコード部１２、外部記憶装置１４、ＭＭプロセッサ（Multi Media Processor）１５、ビデオデコーダ１６、オーディオデコーダ１７、アプリケーションデータ送信部１８、ＮＶＲＡＭ（Non-Volatile RAM）２６、ＲＡＭ２７、ＲＯＭ２８、ＭＰＵ（ＭＰＵ：Micro Processing Unit）２９、リモコン２１、リモコン信号受信部２２、システムバス２０を備える。
【００１４】
チューナ・復調部１１は、放送受信部として機能し、放送局７より放送されるＢＭＬコンテンツ（データ放送コンテンツ）を含む番組コンテンツ（放送番組）をアンテナ８を介して受信する。すなわち、チューナ・復調部１１は、アンテナ８から取り込まれる例えば地上デジタル放送などの放送波（ＲＦ）から所望の放送波（放送局）を選局し放送波の復調を行う。なお、放送局７は、ケーブルテレビ局などであってもよく、チューナ・復調部１１は、ケーブルを通じて放送される番組コンテンツを受信するものであってもよい。
【００１５】
ＴＳデコード部１２は、チューナ・復調部１１により復調されたトランスポートストリーム形式の番組コンテンツを、ＢＭＬコンテンツ、映像データ、及び音声データに多重分離して、ＭＭプロセッサ（Multi Media Processor）１５、ビデオデコーダ１６、オーディオデコーダ１７にそれぞれ出力する。
【００１６】
外部記憶装置１４は、記録型の光ディスクに書き込み可能な光ディスクドライブ装置やハードディスクドライブ装置を備えており、ＴＳデコード部１２により多重分離される前のトランスポートストリーム形式の番組コンテンツを保存しておくことが可能である。
【００１７】
ビデオデコーダ１６、オーディオデコーダ１７は、ＴＳデコード部１２側から受信した映像データ、音声データをそれぞれデコード（再生）する。また、データ放送表示エンジンであるＭＭプロセッサ（Multi Media Processor）１５は、ＴＳデコード部１２側から受信したＢＭＬコンテンツをデコード（復号）する。ここで、ＭＭプロセッサ１５は、ＢＭＬコンテンツ中に番組視聴者に与えられる番組独自の視聴記録情報が含まれている場合に、この視聴記録情報を選択的に取り出す（抽出する）。
【００１８】
すなわち、ＴＳデコード部１２及びＭＭプロセッサ１５は、ＭＰＵ２９と協働しつつ、チューナ・復調部１１により受信された番組コンテンツ中に視聴記録情報が含まれている場合に、この視聴記録情報を番組コンテンツから抽出する第２の情報抽出部として機能する。ここで、視聴記録情報とは、番組視聴者に対して放送局側から提供される例えばポイント（又は視聴履歴）などを表すデータであり、このポイントが一定以上貯まると例えば懸賞に応募できるといった特典などが得られる。
【００１９】
リモコン（リモートコントローラ）２１は、録画装置３本体の動作を遠隔操作するための入力装置であり、機能選択ボタン、電源ボタン、チャンネル切替ボタンなどを有する。リモコン信号受信部２２は、リモコン２１とのインタフェース部であって、リモコン２１から出力される遠隔制御信号（リモコン信号）を受信する。ＭＰＵ２９は、ＲＡＭ２７、ＲＯＭ２８内の情報を参照しつつ録画装置３本体の動作を統括的に制御する。ＮＶＲＡＭ２６は、電源バックアップ不要な不揮発性メモリである。
【００２０】
また、ＭＭプロセッサ１５は、ＢＭＬコンテンツ中から抽出した視聴記録情報を含む転送情報を作成する。情報送信部として機能するアプリケーションデータ送信部１８は、作成された上記転送情報を接続インタフェース９を介してテレビジョン装置５側に送信する。
【００２１】
ここで、ＭＰＵ２９は、リモコン２１からの既定の入力操作により、番組コンテンツの再生を要求を受け付けた場合、ＴＳデコード部１２を制御して、外部記憶装置１４内に記録されているトランスポートストリーム形式の所定の番組コンテンツをデコードする。また、ＭＰＵ２９は、デコード対象の番組コンテンツ中に、この番組コンテンツに連動した番組独自のデータ放送が含まれているか否かを、番組コンテンツ本体（録画データ）若しくはメタデータから判定することが可能である。ここで、メタデータとは、トランスポートストリームに挿入された電子番組情報から得られる番組コンテンツに関連する情報である。つまり、メタデータは、例えば番組コンテンツがドラマなどである場合、ドラマのタイトルや出演者などを記述したデータである。なお、メタデータは、番組コンテンツ本体（録画データ）に包含されている場合もある。
【００２２】
一方、図３に示すように、テレビジョン装置５（デジタルテレビジョン装置）は、録画装置３に設けられていたものと同一の機能を有するチューナ・復調部３１、ＴＳデコード部３２、ビデオデコーダ３６、オーディオデコーダ３７、ＲＡＭ４７、ＲＯＭ４８、リモコン４１、リモコン信号受信部４２、及びシステムバス４０を備える。また、テレビジョン装置５は、図３に示すように、データ放送表示エンジンであるＭＭプロセッサ３５、ＭＰＵ４９、ＮＶＲＡＭ４６、アプリケーションデータ受信部３４をさらに備える。
【００２３】
情報受信部として機能するアプリケーションデータ受信部３４は、アプリケーションデータ送信部１８により録画装置３側から送信されてきた上記転送情報を受信する。情報記憶制御部としてのＭＰＵ４９は、アプリケーションデータ受信部３４より受信された転送情報中に含まれる視聴記録情報をＮＶＲＡＭ４６に記憶保持（格納）させるように制御を行う。ここで、ＭＰＵ４９は、図４に示すように、ＡＲＩＢ ＴＲ−Ｂ１４により定められた地デジ放送事業者共通領域、地デジ放送事業者系列専用領域、地デジ放送事業者専用領域、地デジ放送事業者専用放送通信共通領域、ブックマーク領域、汎用ルート証明書記憶領域、及び登録発呼領域を持つＢｐｒｏＮＶ（２３）と称する記憶領域をＮＶＲＡＭ４６上に確保し、上記の視聴記録情報を当該ＮＶＲＡＭ４６上に記憶させる。
【００２４】
次に、このように構成されたデータ放送共有システム１が備えた録画装置３及びテレビジョン装置５の録画再生時の処理を図５及び図６に基づき説明する。ここで、図５は、録画装置３による録画再生時の処理を示すフローチャートであり、図６は、テレビジョン装置５による録画再生時の処理を示すフローチャートである。
【００２５】
まず、図５に示すように、録画装置３のＭＰＵ２９は、番組コンテンツの再生要求を受け付けた場合、再生対象の番組コンテンツ中に、この番組コンテンツに連動（特化）した番組独自のデータ放送（番組連動データ放送）が含まれているか否かを、番組コンテンツ本体（録画データ）若しくはメタデータから判定する（Ｓ１）。番組連動データ放送が含まれていない場合（Ｓ２のＮＯ）、ＭＰＵ２９は、ＴＳデコード部１２を制御し、外部記憶装置１４内に記録されているトランスポートストリーム形式の番組コンテンツをデコードして（Ｓ３）、通常の番組再生を行う（Ｓ４）。
【００２６】
一方、番組連動データ放送が含まれていた場合（Ｓ２のＹＥＳ）、ＭＰＵ２９は、ＴＳデコード部３２を制御して番組コンテンツをデコードした後（Ｓ５）、データ放送（番組連動データ放送）が起動したか否かを検出する（Ｓ６）。ここで、番組によっては自動でデータ放送が起動されるものもあるが、そうでない番組の場合、ユーザによるリモコン操作によりデータ放送を手動で起動させる。このようにして番組連動データ放送が起動した後（Ｓ６のＹＥＳ）、ＭＰＵ２９は、ＢｐｒｏＮＶ（２３）への書き込み命令があるか否かを検出する（Ｓ７）。換言すると、ＭＰＵ２９と協働するＴＳデコード部１２及びＭＭプロセッサ１５は、デコードされた番組コンテンツ（ＢＭＬコンテンツ）中に視聴記録情報が含まれている場合に、この視聴記録情報を番組コンテンツから抽出する。
【００２７】
ＢｐｒｏＮＶ（２３）への書き込み命令（視聴記録情報）がある場合（Ｓ７のＹＥＳ）、ＭＭプロセッサ１５は、ＢＭＬコンテンツから抽出した視聴記録情報を含む転送情報を作成する（Ｓ８）。さらに、アプリケーションデータ送信部１８は、ＭＭプロセッサ１５が作成した転送情報を接続インタフェース９を介してテレビジョン装置５側に送信する（Ｓ９）。なお、転送情報は、例えばＲＡＭ２７上に作業領域を確保して作成される。また、転送情報は、書き込み命令そのものを文字コードで記述したかたちで構成してもよい。さらに、ＭＰＵ２９が転送情報を作成してもよい。
【００２８】
一方、図６に示すように、テレビジョン装置５側のアプリケーションデータ受信部３４は、アプリケーションデータ送信部１８により録画装置３側から送信されてきた上記転送情報を受信する（Ｓ１１）。ＭＰＵ４９は、アプリケーションデータ受信部３４より受信された転送情報中に含まれる視聴記録情報をＮＶＲＡＭ４６に記憶保持（格納）させるように制御（ＢｐｒｏＮＶへの書き込み）を行う（Ｓ１２）。このような書き込み処理では、録画装置３側から、視聴記録情報を直接、テレビジョン装置５側のＮＶＲＡＭ４６に書き込むのではなく、録画装置３側で一旦、転送情報として加工した後、テレビジョン装置５側に送信し、しかも転送情報中に含まれる視聴記録情報をテレビジョン装置５側の機能で書き込むようにしているので、ＡＲＩＢの規格上の制約を実質的に回避するものである。また、ＮＶＲＡＭに対して、必要最低限の書き込み処理しか行わないため、書き込み回数に上限を持っているような記憶デバイスの消耗を抑えることができる。
【００２９】
なお、図５、図６のフローチャートでは、録画装置３で録画された番組コンテンツの録画再生処理について説明しているが、例えばリアルタイムに録画装置３により放送局７から番組コンテンツを受信しかつ当該録画装置３でデコードした（復号済みの）番組コンテンツを、テレビジョン装置５側に送信してリアルタイムに視聴する場合にも、上記同様、転送情報が送受信され、視聴記録情報がテレビジョン装置５側のＮＶＲＡＭ４６に書き込まれる。さらに、例えばテレビジョン装置５により放送局７から番組コンテンツを受信しかつ当該テレビジョン装置５でデコードした（復号済みの）番組コンテンツを、テレビジョン装置５自体で視聴する場合には、視聴記録情報がそのままテレビジョン装置５側のＮＶＲＡＭ４６に書き込まれる。
【００３０】
既述したように、本実施形態に係る録画装置３及びテレビジョン装置５を備えたデータ放送共有システム１では、放送局７より放送された番組コンテンツ（ＢＭＬコンテンツ）を受信した録画装置３側から、この番組コンテンツ（ＢＭＬコンテンツ）中に番組独自の視聴記録情報が含まれている場合に、視聴記録情報を含む転送情報をテレビジョン装置５側で取得し、テレビジョン装置５側で、転送情報中の視聴記録情報を記憶保持するものである。これにより、視聴記録情報をマージすることが可能となる。つまり例えば、録画装置３側とテレビジョン装置５側との番組独自のポイントなどを統合でき、より良い懸賞などに応募できる可能性などを高めることができる。
【００３１】
［第２の実施の形態］
次に、本発明の第２の実施形態を図７に基づき説明する。ここで、図７は、この実施形態に係るデータ放送共有システム５１の構成を示す機能ブロック図である。なお、図７において、図１〜図３に示した第１の実施形態のデータ放送共有システム１の録画装置３及びテレビジョン装置５に設けられていたものと同一の構成要素については、同一の符号を付与しその説明を省略する。
【００３２】
すなわち、第２の実施形態のデータ放送共有システム５１は、第１の実施形態のデータ放送共有システム５１が備えていた録画装置３及びテレビジョン装置５に代えて、図７に示すように、録画装置５３及びテレビジョン装置５５を備えて構成される。また、データ放送共有システム５１では、コンテンツ処理装置（コンテンツ処理装置本体）として機能するテレビジョン装置５５と他のコンテンツ処理装置として機能する録画装置５３とが、ＤＬＮＡ（Digital Living Network Alliance）若しくはＩＥＥＥ１３９４などで実現される接続インタフェース３９を介して互いに接続されている。これにより、録画装置５３側からテレビジョン装置５５側へトランスポートストリームの形式で番組コンテンツを転送することが可能となる。
【００３３】
具体的には、録画装置５３は、ＭＰＵ５６、番組連動データ放送判定部５７、暗号化部５８、データ送受信部１９を新たに備える。データ送受信部１９は、接続インタフェース３９の録画装置５３側のデータ送受信部となる。一方、テレビジョン装置５５は、ＭＰＵ５９、暗号解除部５２ａを有するＴＳデコード部５２、ＭＭプロセッサ６０、表示デバイス５４、データ送受信部３８を新たに備える。データ送受信部３８は、接続インタフェース３９のテレビジョン装置５５側のデータ送受信部となる。なお、表示デバイス５４は、デコードされた映像データやＢＭＬコンテンツなどを可視的に表示する液晶モニタなどで構成されている。
【００３４】
より具体的には、接続インタフェース３９が接続される上述したテレビジョン装置５５側のデータ送受信部３８は、録画装置５３側のチューナ・復調部１１で受信された番組コンテンツをトランスポートストリーム形式で取得（受信）するコンテンツ取得部として機能する。
【００３５】
また、テレビジョン装置５５側のＴＳデコード部５２及びＭＭプロセッサ６０は、ＭＰＵ５９と協働しつつ情報抽出部としての機能実現し、データ送受信部３８にて録画装置５３側から取得した番組コンテンツ（ＢＭＬコンテンツ）中に番組独自の視聴記録情報が含まれている場合に、この視聴記録情報を前記番組コンテンツ（ＢＭＬコンテンツ）から抽出する。また、ＭＰＵ５９は、ＴＳデコード部５２及びＭＭプロセッサ６０により抽出された視聴記録情報をＮＶＲＡＭ（情報記憶部）４６に記憶保持させるように制御を行う。なお、テレビジョン装置５５により放送局７から番組コンテンツを受信しかつ当該テレビジョン装置５５でデコードした（復号済みの）番組コンテンツを、テレビジョン装置５５自体で視聴する場合には、視聴記録情報がそのままテレビジョン装置５側のＮＶＲＡＭ４６に書き込まれる。
【００３６】
また、第２の実施形態のデータ放送共有システム５１では、録画装置５３側での録画再生時において、番組連動データ放送判定部５７は、外部記憶装置１４に記憶された録画コンテンツ（番組コンテンツ）１４ａに付随するメタデータなどを読み出す。さらに、番組連動データ放送判定部５７は、録画再生対象の録画コンテンツ中に番組独自のデータ放送コンテンツ（番組連動データ放送）があるか否かを判定し、これがある場合に、録画再生対象の録画コンテンツをテレビジョン装置５５側へ送信することを許容する。
【００３７】
ここで、録画装置５３側の暗号化部５８は、接続インタフェース３９がＤＬＮＡの場合にはＤＴＣＰ−ＩＰ（Digital Transmission Content Protection-Internet Protocol）、接続インタフェース３９がＩＥＥＥ１３９４の場合にはＤＴＣＰを用いて暗号化を施す。一方、テレビジョン装置５５側のＴＳデコード部５２が有する暗号解除部５２ａは、上記の暗号化部５８による暗号を解除する。
【００３８】
したがって、本実施形態のデータ放送共有システム５１では、録画装置５３側で視聴記録情報を取り扱う処理を省略でき、実質的に録画装置５３側の装置構成の簡略化を図ることができる。
【００３９】
［第３の実施の形態］
次に、本発明の第３の実施形態を図８に基づき説明する。ここで、図８は、この実施形態に係るデータ放送共有システム７１の構成を示す機能ブロック図である。なお、図８において、図１〜図３、図７に示した第１、第２の実施形態のデータ放送共有システム１、５１の録画装置３、５３及びテレビジョン装置５、５５に設けられていたものと同一の構成要素については、同一の符号を付与しその説明を省略する。
【００４０】
すなわち、第３の実施形態のデータ放送共有システム７１は、第２の実施形態のデータ放送共有システム５１が備えていた録画装置５３及びテレビジョン装置５５に代えて、図８に示すように、録画装置７３及びテレビジョン装置７５を備えて構成される。また、データ放送共有システム７１では、コンテンツ処理装置（コンテンツ処理装置本体）として機能するテレビジョン装置７５と他のコンテンツ処理装置として機能する録画装置７３とが、第１の実施形態と同様に、ＬＡＮやＨＤＭＩ−ＣＥＣなどで実現される接続インタフェース９を介して互いに接続されている。
【００４１】
具体的には、録画装置７３は、情報検出部（第２の情報検出部）７４ａを有するＭＰＵ７４、及びデータ送受信部７７を新たに備える。データ送受信部７７は、接続インタフェース９の録画装置７３側のデータ送受信部となる。一方、テレビジョン装置７５は、情報検出部７６ａ及び転送要求部７６ｂを有するＭＰＵ７６、並びにデータ送受信部７８を新たに備える。データ送受信部７８は、接続インタフェース９のテレビジョン装置７５側のデータ送受信部となる。
【００４２】
テレビジョン装置７５では、ＭＭプロセッサ６０（及びＴＳデコード部３２）により番組コンテンツ（ＢＭＬコンテンツ）中から視聴記録情報が抽出された場合、ＭＰＵ７６の情報検出部７６ａは、抽出されたこの視聴記録情報に対応する番組と同一の番組の視聴記録情報が、ＮＶＲＡＭ４６に記憶されているか否かを検出する。情報検出部７６ａにより、前記同一の番組の視聴記録情報がＮＶＲＡＭ４６に記憶されていることが検出された場合、ＭＰＵ７６の転送要求部７６ｂは、録画装置７３側のデータ送受信部（情報送信部）７７に対し、当該抽出された視聴記録情報を含む転送情報の送信を要求する。さらに、要求した転送情報がデータ送受信部７８により受信された後、ＭＰＵ７６は、転送情報に含まれる視聴記録情報をＮＶＲＡＭ４６に記憶保持させるように制御を行う。
【００４３】
一方、録画装置７３では、ＭＭプロセッサ１５（及びＴＳデコード部１２）により番組コンテンツ（ＢＭＬコンテンツ）中から視聴記録情報が抽出された場合、ＭＰＵ７４の情報検出部７４ａは、抽出されたこの視聴記録情報に対応する番組と同一の番組の視聴記録情報が、ＮＶＲＡＭ（第２の情報記憶部）２６に記憶されているか否かを検出する。情報検出部７４ａにより、前記同一の番組の視聴記録情報がＮＶＲＡＭ２６に記憶されていることが検出された場合、第２の情報記憶制御部として機能するＭＰＵ７４は、当該抽出された視聴記録情報をＮＶＲＡＭ２６に記憶保持させるように制御を行う。なお、本実施形態のデータ放送共有システム７１では、録画装置７３側のＮＶＲＡＭ２６及びテレビジョン装置７５側のＮＶＲＡＭ４６のうちのいずれにも、同一の番組の視聴記録情報が記憶されていない場合、ＢＭＬコンテンツ中から視聴記録情報を抽出した装置（録画装置７３及びテレビジョン装置７５のうち、ＢＭＬコンテンツを実際にデコードした装置）側のＮＶＲＡＭに視聴記録情報を書き込む。
【００４４】
このように、本実施形態の録画装置７３及テレビジョン装置７５を備えたデータ放送共有システム７１によれば、録画装置７３及びテレビジョン装置７５のうちのいずれか一方に同一の番組の視聴記録情報を統合して行くことが可能となる。
【００４５】
以上、本発明を第１〜第３の実施の形態により具体的に説明したが、本発明はこれらの実施形態にのみ限定されるものではなく、その要旨を逸脱しない範囲で種々変更可能である。例えば、上述した実施形態では、コンテンツ処理装置（コンテンツ処理装置本体）としてテレビジョン装置を適用し、他のコンテンツ処理装置として録画装置を適用した例について説明したが、互いの関係を逆の組み合わせにして本発明を実現してもよい。また、上記実施形態では、テレビジョン装置及び録画装置の双方がコンテンツの受信機能（チューナ）を備えるものであったが、同一種類の機器どうしのデータのやり取りを特定して本発明を実現してもよい。つまり例えば、一組のテレビジョン装置どうし、又は一組の録画装置どうしのデータのやり取りを特定して本発明を構成することも可能である。
【００４６】
また、上述した実施形態では、一対一の装置どうしのデータのやり取りを例示したが、ＬＡＮやＨＤＭＩなどの接続インタフェースでは、上記のテレビジョン装置と録画装置以外の他の機器が同一バス上、若しくは機器を介して接続されている場合でも、送信相手を特定できるため、三つ以上の複数の装置間でのデータのやり取りを特定して本発明を構成してもよい。また、デジタル放送を受信、録画可能なＰＣ（パーソナルコンピュータ）などを発明の対象の装置として適用することも可能である。
【００４７】
また、第２の実施形態において、録画データを送信する録画装置と録画データを受信するテレビジョン装置とがＨＤＭＩ（ＨＤＭＩ−ＣＥＣ）を適用して接続されている場合、受信装置（テレビジョン装置）側の入力ソースをＨＤＭＩにて自動で切り替えてから、ＴＳ（トランスポートストリーム）データをＤＬＮＡ又はＩＥＥＥ１３９４で送信すると、ユーザが入力ソースをわざわざ切り替える手間を省くことが可能になる。
【図面の簡単な説明】
【００４８】
【図１】本発明の第１の実施形態に係るデータ放送共有システムの構成を示す機能ブロック図。
【図２】図１のデータ放送共有システムが備える録画装置の構成を示す機能ブロック図。
【図３】図１のデータ放送共有システムが備えるテレビジョン装置の構成を示す機能ブロック図。
【図４】ＢｐｒｏＮＶ（データ放送用メモリ領域）のデータ内容を示す図。
【図５】図２の録画装置による録画再生時の処理を示すフローチャート。
【図６】図３のテレビジョン装置による録画再生時の処理を示すフローチャート。
【図７】本発明の第２の実施形態に係るデータ放送共有システムの構成を示す機能ブロック図。
【図８】本発明の第３の実施形態に係るデータ放送共有システムの構成を示す機能ブロック図。
【符号の説明】
【００４９】
１，５１，７１…データ放送共有システム、３，５３，７３…録画装置、５，５５，７５…テレビジョン装置、９，３９…接続インタフェース、１２，３２，５２…ＴＳデコード部、１５，３５，６０…ＭＭプロセッサ、１８…アプリケーションデータ送信部、１９，３８，７７，７８…データ送受信部、２６，４６…ＮＶＲＡＭ、２９，４９，５６，５９，７４，７６…ＭＰＵ、３４…アプリケーションデータ受信部、７４ａ，７６ａ…情報検出部、７６ｂ…転送要求部。
【図１】
2010109901.tif 000003
【図２】
2010109901.tif 000004
【図３】
2010109901.tif 000005
【図４】
2010109901.tif 000006
【図５】
2010109901.tif 000007
【図６】
2010109901.tif 000008
【図７】
2010109901.tif 000009
【図８】
2010109901.tif 000010